(57)【特許請求の範囲】
【請求項１】
イネの栽培において、
２５℃静置水中の初期２０日間で全溶出量の４０％以下、その後６０日までに全溶出量の８０％以上の窒素成分が溶出する、被覆資材で被覆した粒状肥料と、
トリアゾール系化合物およびその塩、並びに、イソニコチンアニリド系化合物およびその塩からなる群より選ばれる植物生長調節剤を含有する粒状肥料とを、
６葉期までのイネ幼植物または籾の近傍に施用することを特徴とするイネの収量を増加させる方法。
【請求項２】
イネの栽培において、
２５℃静置水中の初期２０日間で全溶出量の４０％以下、その後６０日までに全溶出量の８０％以上の窒素成分が溶出する、被覆資材で被覆した粒状肥料と、
トリアゾール系化合物およびその塩、並びに、イソニコチンアニリド系化合物およびその塩からなる群より選ばれる植物生長調節剤を含有する粒状肥料とを、
６葉期までのイネ幼植物の近傍に側条施用することを特徴とするイネの収量を増加させる方法。
【請求項３】
植物生長調節剤が、トリアゾール系化合物およびその塩からなる群より選ばれる植物生長調節剤である請求項１または２に記載のイネの収量を増加させる方法。
【請求項４】
植物生長調節剤を含有する粒状肥料が、肥料成分として窒素を含有し、その施用量が窒素成分の有効成分量として１００〜２０００ｇ／ａである粒状肥料である請求項１、２または３に記載のイネの収量を増加させる方法。
【発明の詳細な説明】
【０００１】
【産業上の利用分野】
本発明は、イネの栽培での施肥方法に関する。
【０００２】
【従来の技術】
日本晴等の耐倒伏性イネ品種を栽培する場合、合成樹脂等の被覆資材で被覆した粒状肥料と粒状または液状肥料を用いて、田植え時にイネの生育に必要な肥料の全量を本田に施用することが知られている。また、コシヒカリ等の易倒伏性イネ品種を栽培する場合、植物生長調節剤を含有する粒状または液状肥料を田植え時に本田に施用することも知られている。
【０００３】
【発明が解決しようとする課題】
しかしながら、前者の被覆資材で被覆した粒状肥料と粒状肥料を全量基肥として施した場合、コシヒカリ等の易倒伏性イネ品種では、しばしばひどい倒伏を招き、その結果、機械収穫ができず、しかも収量も低下した。また、後者の植物生長調節剤を含有する粒状肥料を田植え時に本田に施した場合、イネ品種の倒伏は軽減できものの、その後１〜２回の追肥が必要であり、多くの労力を要した。
【０００４】
【課題を解決するための手段】
このような状況下で、本発明者らは、鋭意検討を行った結果、被覆資材で被覆した粒状肥料と植物生長調節剤を含有する粒状肥料とを苗または籾の近傍に施用することにより、易倒伏性イネ品種の栽培においても倒伏を軽減して、機械収穫を可能とし、かつ追肥の必要性がない全量基肥を可能とする優れた方法を確立することに成功し、本発明を完成した。
すなわち、本発明は、イネの栽培において、被覆資材で被覆した粒状肥料と、植物生長調節剤を含有する粒状肥料とを、苗または籾の近傍に施用することを特徴とする施肥方法（以下、本発明方法と記す。）を提供するものである。本発明方法により、作業の省力化が可能であり、更に安定多収な収量効果も期待することができる。
【０００５】
以下、さらに詳細に本発明を説明する。
本発明で用いられる「被覆資材で被覆した粒状肥料」とは、各種の合成樹脂、パラフィン類、油脂類、硫黄等の被覆資材で肥料成分の表面を被覆した粒状肥料のことで、肥料成分の初期溶出を抑制するタイプのものを意味する。肥料成分は被覆資材を通じて溶出するものであって、水溶性であることが望ましい。
具体的には、たとえば窒素、リン酸、カリウム、珪酸、マグネシウム、カルシウム、マンガン、ホウ素、鉄等のイネが要求する元素をあげることができるが、特に窒素、カリウムが好ましい。肥料成分の原料としては、たとえば、尿素、硝酸アンモニウム、硝酸苦土アンモニウム、塩化アンモニウム、硫酸アンモニウム、リン酸アンモニウム、硝酸アンモニウム、硝酸ソーダ、硝酸カルシウム、硝酸カリウム、石炭窒素、ホルムアルデヒド加工尿素肥料（ＵＦ）、アセトアルデヒド加工尿素肥料（ＣＤＵ）、イソブチルアルデヒド加工尿素肥料（ＩＢＤＵ）、グアニール尿素（ＧＵ）等の窒素質肥料、過リン酸石炭、重過リン酸石炭、苦土過リン酸、リン酸アンモニウム、苦土リン酸、硫リン安、リン硝安カリウム、塩リン安等のリン酸質肥料、塩化カリウム、硫酸カリウム、硫酸カリソーダ、硫酸カリ苦土、重炭酸カリウム、リン酸カリウム、硝酸カリウム等のカリウム質肥料、珪酸カルシウム等の珪酸質肥料、硫酸マグネシウム、塩化マグネシウム等のマグネシウム質肥料、生石炭、消石炭、炭酸カルシウム等のカルシウム質肥料、硫酸マンガン、硫酸苦土マンガン、鉱さいマンガン等のマンガン質肥料、ホウ酸、ホウ酸塩等のホウ素質肥料、鉄鋼スラグ等の含鉄肥料等の肥料取締法に定められる普通肥料（複合肥料を含む）をあげることができる。
【０００６】
肥料成分の溶出は、初期には抑制されるが、一定期間経過後に開始し、その後速やかに行なわれる必要がある。ここで「一定期間」とは、地域、地温、品種、作型等の種々の条件によって異なるが、たとえば、イネの生育ステージにおいて田植え後穂首分化期から幼穂形成期頃までの期間、すなわち栄養生殖期間であり、田植え後、約２０〜８０日間程度、もしくは出穂期の約４０〜２５日前程度の期間に相当する。また積算日平均気温においては、約５００〜１５００℃に相当する。一定期間経過後の肥料成分の溶出速度は、被覆資材の種類・量・肥料塩・粒径・温度および土壌中に存在する微生物の活性等の種々の条件により適宜調整することができるが、たとえば、２５℃静置水中で初期２０日間において、全溶出量の約４０％以下、好ましくは約１０％以下の窒素成分の溶出がよい。
そして、肥料成分の溶出は、上記の一定期間経過後、約６０日間（田植え後約８０〜１４０日間に相当）までに、好ましくは約２５日間（田植え後約４５〜１０５日間に相当）までに全溶出量の約８０％以上の窒素成分の溶出がよい。
【０００７】
被覆資材で被覆した粒状肥料は、通常の方法に準じて、被覆資材を溶媒に溶解あるいは分散し、この溶液を肥料成分の表面に被覆し、乾燥後、溶媒を除去することによって製造する方法をあげることができる。被覆資材の被覆粒状肥料に対する重量割合、すなわち被覆率としては、たとえば約２重量％〜約２０重量％の範囲があげられる。
さらに具体的には、たとえば、被覆資材としてポリエチレン、ポリプロピレン、ポリプタジエン、ポリイソプレン、ポリクロロプレン、ブタジエン−スチレン共重合体、ＥＰＤＭ重合体等のポリオレフィン系樹脂のうち、１種又は２種以上の組成物を用いる場合、該組成物のうち最も融点の高い樹脂のＶＩＣＡＴ軟化点以上に加熱したテトラクロロエチレンなどの塩素化炭化水素類等の溶媒に該組成物を溶解し、この溶液を噴流被覆機、皿型造粒機等の装置を用いて、肥料成分の表面に噴霧することによって被覆し、乾燥後、溶媒を除去することによって、製造中に粒子相互がブロック化することなく被覆粒状肥料を得る方法もあげられる。なお、好ましい組成物としては、ポリエチレンとジエン系重合体等のゴム状重合物とからなるもので、その存在割合は約４５重量％〜約９０重量％：約１０重量％〜約５５重量％の範囲のものをあげることができる。必要に応じて該組成物には、たとえばタルク、炭酸カルシウム、金属酸化物等の無機質粉末、耐候性改良剤、着色剤、結合剤を加えることもできる。
【０００８】
また、肥料成分には、あらかじめ高級脂肪酸アルカリ塩、アルキル硫酸塩、アルキルスルホン酸塩、アルキルアリールスルホン酸塩、スルホコハク酸エステル塩等の陰イオン界面活性剤、高級アミンハロゲン酸塩、ハロゲン化アルキルピリジニウム、第４級アンモニウム塩等の陽イオン界面活性剤、ポリエチレングリコール、アルキルエーテル、ポリエチレングリコール、脂肪酸エステル、ソルビタン脂肪酸エステル、脂肪酸モノグリセリド等の非イオン界面活性剤またはアミノ酸等の両性界面活性剤を含有させておくこともできる。この場合、界面活性剤の量としては、たとえば被覆資材中に含まれるポリオレフィン系樹脂に対し、約０．１重量％〜約３０重量％の範囲をあげられる。
被覆した粒状肥料の施用量としては、窒素成分の有効成分量として、通常約５〜８０００ｇ／ａ、好ましくは約１００〜２０００ｇ／ａをあげることができる。
【０００９】
本発明で用いられる「植物生長調節剤を含有する粒状肥料」とは、たとえば、（Ｅ）−１−（４−クロロフェニル）−４，４−ジメチル−２−（１Ｈ−１，２，４−トリアゾール−１−イル）−１−ペンテン−３−オール、１−（４−クロロフェニル）−４，４−ジメチル−２−（１Ｈ−１，２，４−トリアゾール−１−イル）−１−ペンタン−３−オール、（Ｅ）−１−シクロヘキシル−４，４−ジメチル−２−（１Ｈ−１，２，４−トリアゾール−１−イル）−１−ペンテン−３−オール等のトリアゾール系化合物もしくはその光学異性体またはその塩、４’−クロロ−２’−（α−ヒドロキシベンジル）イソニコチンアニリド等のイソニコチンアニリド系化合物またはその塩などの倒伏軽減効果を有する植物生長調節剤を混合もしくは被覆等の処理によって肥料成分中に含有させた粒状肥料のことを意味する。
該粒状肥料中の植物生長調節剤の含有量（有効成分量として）は、通常約０．００００１〜０．０２重量％である。なお、前記の混合もしくは被覆等の処理方法は、たとえば特開昭５９−５１０１号公報、特開昭６３−１０７８８０号公報等に記載される通常用いられる公知なものでよい。
植物生長調節剤は、前記の混合もしくは被覆等の処理方法、各種の条件等によっても異なるが、通常、有効成分または製剤品の形で用いられる。
【００１０】
肥料成分としては、具体的には、たとえば窒素、リン酸、カリウム、珪酸、マグネシウム、カルシウム、マンガン、ホウ素、鉄等のイネが要求する元素をあげることができるが、特に窒素、カリウムが好ましい。肥料成分の原料としては、たとえば、尿素、硝酸アンモニウム、硝酸苦土アンモニウム、塩化アンモニウム、硫酸アンモニウム、リン酸アンモニウム、硝酸アンモニウム、硝酸ソーダ、硝酸カルシウム、硝酸カリウム、石炭窒素、ホルムアルデヒド加工尿素肥料（ＵＦ）、アセトアルデヒド加工尿素肥料（ＣＤＵ）、イソブチルアルデヒド加工尿素肥料（ＩＢＤＵ）、グアニール尿素（ＧＵ）等の窒素質肥料、過リン酸石炭、重過リン酸石炭、苦土過リン酸、リン酸アンモニウム、苦土リン酸、硫リン安、リン硝安カリウム、塩リン安等のリン酸質肥料、塩化カリウム、硫酸カリウム、硫酸カリソーダ、硫酸カリ苦土、重炭酸カリウム、リン酸カリウム、硝酸カリウム等のカリウム質肥料、珪酸カルシウム等の珪酸質肥料、硫酸マグネシウム、塩化マグネシウム等のマグネシウム質肥料、生石炭、消石炭、炭酸カルシウム等のカルシウム質肥料、硫酸マンガン、硫酸苦土マンガン、鉱さいマンガン等のマンガン質肥料、ホウ酸、ホウ酸塩等のホウ素質肥料、鉄鋼スラグ等の含鉄肥料等の肥料取締法に定められる普通肥料（複合肥料を含む）をあげることができる。
植物生長調節剤を含有する粒状肥料の施用量は、窒素成分の有効成分量として、通常約５〜８０００ｇ／ａ、好ましくは約１００〜２０００ｇ／ａをあげることができる。
【００１１】
被覆資材で被覆した粒状肥料と植物生長調節剤を含有する粒状肥料の両者の施用割合は、窒素成分の有効成分量として、たとえば、約８０００００：１〜約１：１をあげることができる。
【００１２】
被覆資材で被覆した粒状肥料と植物生長調節剤を含有する粒状肥料の両者は、苗または籾の近傍に施用されるが、ここで「苗」とは、通常約６葉期までのイネ幼植物を意味し、「近傍」とは、イネ植物から約３０ｃｍ以内、好ましくは約２０ｃｍ以内を意味する。特に局所施用の場合には、約１０ｃｍ以内がより好ましい。上記の両者の肥料は、異なる位置に別々な製剤として施すこともできるし、同時に施すこともできる。施肥の型式は、全面施肥、直下施肥、点施肥または側条施肥等のいずれのものでもよい。
なお、イネの育苗に用いる場合には、本来本田に施用する全量の一部をあらかじめ育苗用土に混和し、これを育苗箱に充填する。そして残りの量は、本田に施用することもできる。
【００１３】
【実施例】
以下に実施例で本発明をさらに詳しく説明するが、本発明はこれらに限定されるものではない。
実施例１
噴流被覆装置の噴流塔内に塔下部から粒径３．５ｍｍの界面活性剤（非イオン系界面活性剤ポリオキシエチレンノニルフェノールエーテル）０．３重量％入り尿素５ｋｇを１００℃の熱風と共に吹き上げ還流状態にさせながら、塔下部より、高圧法ポリエチレン４５重量％とゴム状重合体エチレン−酢酸ビニル共重合体１０重量％とタルク４５重量％とから成る被覆資材５重量％と溶剤であるテトラクロルエチレン９５重量％との９５℃溶液を０．５ｋｇ／分の供給量で１０分間供給し、乾燥・溶媒除去して、製造中に粒子相互がブロックすることなく被覆粒状肥料（溶出速度：２５℃静置水中での窒素成分の初期２５日間の溶出割合が１０％以下で、かつ８０％溶出期間が田植え後１００日）を製造した。
一方、粒径１〜４ｍｍの粒状肥料（Ｎ−Ｐ2Ｏ5−Ｋ2Ｏ＝６％−２０％−２０％）４０ｋｇを皿型造粒機で回転させながら、（Ｅ）−（Ｓ）−１−（４−クロロフェニル）−４，４−ジメチル−２−（１Ｈ−１，２，４−トリアゾール−１−イル）−１−ペンテン−３−オール／トリエチレングリコール溶液（植物生長調節剤の有効成分量２．０重量％）７２ｇをスプレーすることによって、植物生長調節剤を０．００３６重量％の割合で含有する粒状肥料を製造した。
このようにして製造された被覆粒状肥料と植物生長調節剤を含有する粒状肥料を、重量比１：３（窒素成分の有効成分量として２０：９）の割合で混合し、配合品（以下、本発明配合品と記す。）を得た。これを側条施肥田植機を用いて、２０日間育苗された２．５葉期のイネ幼植物（品種：コシヒカリ）から横３ｃｍ、深さ３ｃｍの位置に１アールあたり５．７ｋｇ（窒素成分と植物生長調節剤の有効成分量として、それぞれ１アールあたり０．８ｋｇと０．１５４ｇ）の割合で側条施用した（本発明区１）。比較として植物生長調節剤を含有しないこと以外は上記と同様の配合品を用いて、上記同様の施用をした（比較区１）。試験は１区１０平米、３反復制で行ない、イネの１平米あたりの籾数と登熟度、精玄米収量、稈長、倒伏程度について調査した。倒伏程度は直立を０、完全倒伏を４とし、傾斜角度を均等に区分することにより評価した。結果を表１に示す。
【００１４】
【表１】
0003695454.tif 000002
【００１５】
実施例２
溶出速度において、２５℃静置水中での窒素成分の初期４０日間の溶出割合が１０％以下で、かつ８０％溶出期間が田植え後１００日である被覆粒状肥料を用いること以外は実施例１に記載される本発明配合品と同様の配合品を用いて、実施例１と同様に施用した（本発明区２）。比較として植物生長調節剤を含有しないこと以外は上記と同様の配合品を用いて、上記同様の施用をした（比較区２）。結果を表２に示す。
【００１６】
【表２】
0003695454.tif 000003
【００１７】
参考例１
被覆粒状肥料の代わりに、肥料成分の初期溶出を抑制しない粒状化成肥料を用いること以外は実施例１に記載される本発明配合品と同様の配合品を用いて、実施例１と同様に施用した（比較区３）。さらに、植物生長調節剤を含有しないこと以外は上記と同様の配合品を用いて、上記と同様の施用した（比較区４）。結果を表３に示す。
【００１８】
【表３】
0003695454.tif 000004
【００１９】
【発明の効果】
本発明により、易倒伏性イネ品種の栽培においても倒伏を軽減して、機械収穫を可能とし、かつ追肥の必要性がない全量基肥を可能とするすぐれた施肥方法を確立した。さらに、安定多収な収量効果も期待することができる。